(57)【要約】      （修正有）【課題】移動局が、標準電力レベルでペイロードを伝送するか、増大電力レベルでより小さいペイロードを伝送するかを選択し、逆方向リンク資源を効率的に管理する。【解決手段】移動局は、物理層パケットのサービス品質（Quality of Service, QoS）レベルを自律的に選択することができる。基地局から受信した逆方向リンク伝送情報に基づいて、移動局は、少なくとも標準サービスおよび増大サービスのための、電力レベルと、関係付けられたペイロードとを定めている逆方向リンク伝送基準を得る。移動局は、少なくとも、標準ペイロードサイズと関係付けられた標準逆方向リンク伝送電力レベルと、増大ペイロードサイズと関係付けられた増大逆方向リンク伝送電力レベルとを含む複数の電力レベルから、逆方向リンク伝送電力レベルを選択し、標準ペイロードサイズは、増大ペイロードサイズよりも大きい。【選択図】図１
2011072005.tif 000002
【特許請求の範囲】
【請求項１】
通信システムにおいて逆方向リンク資源を管理する方法であって、
移動局において、少なくとも、標準ペイロードサイズと関係付けられた標準逆方向リンク伝送電力レベルと、増大ペイロードサイズと関係付けられた増大逆方向リンク伝送電力レベルとを含む複数の電力レベルから、逆方向リンク伝送電力レベルを選択し、標準ペイロードサイズが増大ペイロードサイズよりも大きいことを含む方法。
【請求項２】
選択することが、
逆方向リンク信号のペイロードサイズに基づいて、逆方向リンク伝送電力レベルを選択することを含む請求項１記載の方法。
【請求項３】
選択することが、
逆方向リンク信号の好ましい受信待ち時間に基づいて、逆方向リンク伝送電力レベルを選択することをさらに含む請求項２記載の方法。
【請求項４】
選択された逆方向リンク伝送電力レベルで、逆方向リンク信号を伝送することをさらに
含む請求項３記載の方法。
【請求項５】
複数の電力レベルが、トラヒック対パイロット電力レベル比（traffic to pilot power level ratio, TPR）である請求項３記載の方法。
【請求項６】
選択することが、
最大許容標準ＴＰＲを判断することと、
最大許容増大ＴＰＲを判断することとを含む請求項５記載の方法。
【請求項７】
最大許容標準ＴＰＲを判断することが、
複数のペイロード値と関係付けられた複数の標準ＴＰＲ値から、最大許可標準ＴＰＲを、許可されたＴＰＲ値以上の標準ＴＰＲ値として識別することを含む請求項６記載の方法。
【請求項８】
最大許容増大ＴＰＲを判断することが、
複数のペイロード値と関係付けられた複数の増大ＴＰＲ値から、最大許可増大ＴＰＲを、許可されたＴＰＲ値以上の増大ＴＰＲ値として識別することを含む請求項７記載の方法。
【請求項９】
基地局から受信した逆方向リンク情報に基づいて、複数のＴＰＲ値を設定することをさらに含む請求項８記載の方法。
【請求項１０】
設定することが、
増大値を複数の標準ＴＰＲ値に加えることによって、複数の増大ＴＰＲ値を得ることを含む請求項９記載の方法。
【請求項１１】
正規のＴＰＲ値を基地局から受信することをさらに含む請求項７記載の方法。
【請求項１２】
基地局から、関係付けられたペイロードにおける、各正規のＴＰＲ値と対応する増大ＴＰＲ値との間の差を示すＴＰＲ差分値を受信することをさらに含む請求項９記載の方法。
【請求項１３】
基地局から、関係付けられたＴＰＲ値における、増大ペイロードサイズと正規のペイロードサイズとの間のペイロードサイズにおける差を示すペイロード低減値を受信することをさらに含む請求項９記載の方法。
【請求項１４】
ペイロード低減値が、パケットの数を示す請求項１３記載の方法。
【請求項１５】
逆方向リンク信号が最大許容ＴＰＲで伝送されるか、または最大許容増大ＴＰＲ値で伝送されるかを示すＴＰＲ表示を、基地局に伝送することをさらに含む請求項９記載の方法。
【請求項１６】
許可された逆方向リンク伝送電力レベルを受信するように構成された受信機と、
許可された逆方向リンク伝送電力レベルに基づいて、少なくとも、標準ペイロードサイズと関係付けられた標準逆方向リンク伝送電力レベルと、増大ペイロードサイズと関係付けられた増大逆方向リンク伝送電力レベルとを含む複数の電力レベルから、逆方向リンク伝送電力レベルを選択するように構成されていて、標準ペイロードサイズが増大ペイロードサイズよりも大きい制御装置とを含む移動局。
【請求項１７】
制御装置が、逆方向リンク信号のペイロードサイズに基づいて、逆方向リンク伝送電力レベルを選択するようにも構成されている請求項１６記載の移動局。
【請求項１８】
制御装置が、逆方向リンク信号の好ましい受信待ち時間に基づいて、逆方向リンク伝送電力レベルを選択するようにも構成されている請求項１７記載の移動局。
【請求項１９】
選択された逆方向リンク伝送電力レベルで、逆方向リンク信号を伝送するように構成されている送信機をさらに含む請求項１８記載の移動局。
【請求項２０】
複数の電力レベルが、トラヒック対パイロット電力レベル比（ＴＰＲ）である請求項１８記載の移動局。
【請求項２１】
制御装置が、
最大許容標準ＴＰＲを判断し、
最大許容増大ＴＰＲを判断するようにも構成されている請求項２０記載の移動局。
【請求項２２】
制御装置が、複数のペイロード値と関係付けられた複数の標準ＴＰＲ値から、最大許可標準ＴＰＲを、許可されたＴＰＲ値以上の標準ＴＰＲ値として識別するようにも構成されている請求項２１記載の移動局。
【請求項２３】
制御装置が、複数のペイロード値と関係付けられた複数の増大ＴＰＲ値から、最大許可増大ＴＰＲを、許可されたＴＰＲ値以上の増大ＴＰＲ値として識別するようにも構成されている請求項２２記載の移動局。
【請求項２４】
制御装置が、基地局から受信した逆方向リンク情報に基づいて、複数のＴＰＲ値を設定するようにも構成されている請求項２３記載の移動局。
【請求項２５】
制御装置が、増大値を複数の標準ＴＰＲ値に加えることによって、複数の増大ＴＰＲ値を得るようにも構成されている請求項２４記載の移動局。
【請求項２６】
受信機が、基地局から標準ＴＰＲ値を受信するようにも構成されている請求項２４記載の移動局。
【請求項２７】
受信機が、基地局から、関係付けられたペイロードにおける、各正規のＴＰＲ値と対応する増大ＴＰＲ値との間の差を示すＴＰＲ差分値を受信するようにも構成されている請求項２６記載の移動局。
【請求項２８】
受信機が、基地局から、関係付けられたＴＰＲ値における、増大ペイロードサイズと正規のペイロードサイズとの間のペイロードサイズにおける差を示すペイロード低減値を受信するようにも構成されている請求項２６記載の移動局。
【請求項２９】
ペイロード低減値が、パケットの数を示す請求項２８記載の移動局。
【請求項３０】
送信機が、逆方向リンク信号が、最大許容ＴＰＲで伝送されるか、または最大許容増大ＴＰＲ値で伝送されるかを示すＴＰＲ表示を、基地局に伝送するようにも構成されている請求項２４記載の移動局。
【請求項３１】
移動局が、少なくとも、標準ペイロードサイズと関係付けられた標準逆方向リンク伝送電力レベルと、増大ペイロードサイズと関係付けられた増大逆方向リンク伝送電力レベルとを含む複数の電力レベルから、逆方向リンク伝送電力レベルを選択することを可能にする逆方向リンク伝送基準を設定する逆方向リンク伝送情報を伝送し、標準ペイロードサイズが増大ペイロードサイズよりも大きいことを含む方法。
【請求項３２】
伝送することが、
標準逆方向リンク伝送電力レベルと増大逆方向リンク伝送電力レベルとの間の差を示す増大値を伝送することを含む請求項３１記載の方法。
【請求項３３】
許可された伝送電力レベルを移動局に伝送することをさらに含む請求項３２記載の方法。
【請求項３４】
逆方向リンク伝送情報が、
標準逆方向リンク伝送電力レベルを含む請求項３３記載の方法。
【請求項３５】
逆方向リンク伝送情報が、
増大逆方向リンク伝送電力レベルを含む請求項３３記載の方法。
【請求項３６】
逆方向リンク伝送情報が、
許可された伝送電力レベルと選択された伝送電力レベルとの間の最大の差を示すマージン値を含む請求項３３記載の方法。
【請求項３７】
逆方向リンク伝送情報が、
増大モードで伝送される最大数のサブパケットを含む請求項３３記載の方法。
【請求項３８】
移動局が、少なくとも、標準ペイロードサイズと関係付けられた標準逆方向リンク伝送電力レベルと、増大ペイロードサイズと関係付けられた増大逆方向リンク伝送電力レベルとを含む複数の電力レベルから、逆方向リンク伝送電力レベルを選択することを可能にする逆方向リンク伝送基準を設定する逆方向リンク伝送情報を伝送するように構成されていて、標準ペイロードサイズが増大ペイロードサイズよりも大きい送信機を含む基地局。
【請求項３９】
送信機が、標準逆方向リンク伝送電力レベルと増大逆方向リンク伝送電力レベルとの間の差を示す増大値を伝送するようにも構成されている請求項３８記載の基地局。
【請求項４０】
送信機が、許可された伝送電力レベルを移動局に伝送するようにも構成されている請求項３８記載の基地局。
【請求項４１】
逆方向リンク伝送情報が、
標準逆方向リンク伝送電力レベルを含む請求項３８記載の基地局。
【請求項４２】
逆方向リンク伝送情報が、
増大逆方向リンク伝送電力レベルを含む請求項３８記載の基地局。
【請求項４３】
逆方向リンク伝送情報が、
許可された伝送電力レベルと選択された伝送電力レベルとの間の最大の差を示すマージン値を含む請求項３８記載の基地局。
【請求項４４】
逆方向リンク伝送情報が、
増大モードで伝送される最大数のサブパケットを含む請求項３８記載の基地局。
【請求項４５】
通信システムにおいて逆方向リンク資源を管理する方法であって、
移動局から、少なくとも、標準ペイロードサイズと関係付けられた標準逆方向リンク伝送電力レベルと、増大ペイロードサイズと関係付けられた増大逆方向リンク伝送電力レベルとを含む複数の電力レベルからの、逆方向リンク伝送電力レベルの選択を示すＱｏＳ表示ビットを伝送し、標準ペイロードサイズが増大ペイロードサイズよりも大きいことを含む方法。
【請求項４６】
伝送することが、複数の増大モードを識別する複数のＱｏＳ表示ビットからＱｏＳ表示ビットを伝送することを含む請求項４５記載の方法。
【請求項４７】
伝送することが、ＱｏＳ表示ビットによって示された電力レベルにしたがってペイロードを伝送するのに使用されるトラヒックチャネルと関係付けられた制御チャネルにおいてＱｏＳ表示ビットを伝送することを含む請求項４５記載の方法。
【請求項４８】
通信システムにおいて逆方向リンク資源を管理する方法であって、
パイロット信号電力レベルに関係する受信信号電力レベルとペイロードサイズとに基づいて、移動局から逆方向リンク信号を伝送するのに使用されるサービスモードを判断することを含む方法。
【請求項４９】
サービスモードが、少なくとも標準モードと増大モードとから、移動局によって選択され、標準モードが、標準ペイロードサイズと関係付けられた標準逆方向リンク伝送電力レベルを定めており、増大モードが、増大ペイロードサイズと関係付けられた増大逆方向リンク伝送電力レベルを定めている請求項４８記載の方法。
【請求項５０】
標準ペイロードサイズが、増大ペイロードサイズよりも大きい請求項４９記載の方法。
【請求項５１】
逆方向リンク資源の使用を規制する再送方式を採用している通信システムにおいて逆方向リンク資源を管理する移動局において行われる方法であって、
逆方向リンクパケットのＱｏＳに基づいて、逆方向リンクパケットを伝送するための逆方向リンク電力レベルとペイロードサイズとの組み合せを自律的に選択し、通信システムの性能と逆方向リンクパケットの受信待ち時間との折り合いをつけることを含む方法。
【請求項５２】
再送方式が、ハイブリッド自動反復応答（hybrid automatic repeat response, HARQ）プロトコルである請求項５１記載の方法。
【発明の詳細な説明】
【技術分野】
【０００１】
米国特許法第１１９条のもとでの優先権の主張
本出願は、２００３年９月８日に出願された仮特許出願第６０／５０１，５６３号（“Method And Apparatus for Traffic-to-Pilot Management for Code Division Multiple Access (CDMA) Reverse Link”）、および２００３年９月８日に出願された仮特許出願第６０／５０１，４５０号（“Method And Apparatus for Traffic-to-Pilot Management for Code Division Multiple Access (CDMA) Reverse Link”）の優先権の恩恵を主張し、両文献は、本明細書において参照によって全体的に取り入れられている。
【０００２】
本発明は、概ね、通信システム、とくに、通信システムにおける逆方向リンク資源を管理する装置、システム、および方法に関する。
【背景技術】
【０００３】
多くの無線通信システムは、地理的に分散した基地局を使用して、通信セルまたは領域を設け、供給基地局は、供給基地局に対応する領域内の移動局に通信サービスを与える。ある特定の状況では、各移動局から基地局へ伝送される逆方向リンク信号は、他の移動局から伝送される他の逆方向リンク信号を干渉する。干渉と制限された資源とのために、各基地局の容量は制限され、多くのシステムは、通信システムの全体的な性能を向上するために、逆方向リンク資源を管理する。逆方向リンク資源を制御する１つの方法は、移動局の伝送エネルギーを制限することを含む。幾つかの従来のシステムは、情報が基地局において正確に再構成され、受信されることを可能にする再送機構を取り入れている。伝送電力レベルを比較的に低い電力レベルに制限することによって、逆方向リンク資源は、効率的に使用され、一方で再送は、伝送された情報の正確な再構成を可能にする。良好なチャネルが使用されるときは、再送方式は、早期に終了されるので、時間にしたがって変化するチャネルでは、再送方式は、システム容量を増加することになる。しかしながら、従来のシステムでは、再送が逆方向リンクチャネルにおける伝送待ち時間を増加することになる点で、制限されている。従来のシステムの資源管理技術は、ペイロードのサイズがより大きくなるときに、移動局が逆方向リンク信号をより高い相対伝送電力で伝送することを可能にしている。しかしながら、比較的により小さいペイロードでは、移動局は、全体的により低い相対電力レベルで伝送することを要求され、その結果、全てのペイロードサイズにおいて、ほぼ同じ平均待ち時間になる。
【発明の概要】
【０００４】
したがって、待ち時間の考慮に基づいて、通信システムにおいて逆方向リンク資源を効率的に管理する装置、システム、および方法が必要とされている。
【図面の簡単な説明】
【０００５】
【図１】本発明の例示的な実施形態にしたがう通信システムのブロック図。
【０００６】
【図２】例示的な逆方向リンク伝送基準を表すテーブルであって、逆方向リンクの伝送電力レベルおよびペイロードサイズが英数字の変数によって表されているテーブル。
【０００７】
【図３】基地局から受信された増大値を使用して設定された例示的な逆方向リンク伝送基準を表すテーブル。
【０００８】
【図４】例示的な値を含む逆方向リンク伝送基準を表すテーブルであって、ペイロードサイズがビットで表され、伝送電力レベルがトラヒック対パイロット比（ＴＰＲ）で表されているテーブル。
【０００９】
【図５】本発明の例示的な実施形態にしたがって移動局において行われる逆方向リンク資源を管理する方法のフローチャート。
【００１０】
【図６】本発明の例示的な実施形態にしたがって基地局において行われる逆方向リンク資源を管理する方法のフローチャート。
【発明を実施するための形態】
【００１１】
本発明の例示的な実施形態において、装置、システム、および方法は、移動局が、標準電力レベルでペイロードを伝送するか、増大電力レベルでより小さいペイロードを伝送するかを選択することを可能にすることによって、逆方向リンク資源を効率的に管理する。その結果、移動局は、個々のパケットの遅延要件に基づいて、個々のパケットのサービス品質（Quality of Service, QoS）レベルを自律的に選択することができる。基地局から受信した逆方向リンク伝送情報に基づいて、移動局は、少なくとも標準サービスおよび増大サービスのための、電力レベルと、関係付けられたペイロードとを定めている逆方向リンク伝送基準を得る。移動局は、標準ペイロードサイズと関係付けられた標準逆方向リンク伝送電力レベルと、増大ペイロードサイズと関係付けられた増大逆方向リンク伝送電力レベルとを含む複数の電力レベルから、逆方向リンク伝送電力レベルを選択し、標準ペイロードサイズは、増大ペイロードサイズよりも大きい。
【００１２】
例示的な実施形態では、逆方向リンク信号は、ハイブリッド自動反復応答（hybrid automatic repeat response, HARQ）プロトコルにしたがって伝送される。逆方向リンク資源を効率的に使用するために、逆方向リンク伝送電力レベルは、多数の再送において、逆方向リンク信号のほとんどのペイロードを適切に転送するレベルで維持される。良好なチャネルが使用されるときは、再送方式は早期に終了するので、時間にしたがって変化するチャネルでは、再伝送方式はシステム容量を増加することになる。比較的により高い伝送電力レベルで伝送される逆方向リンク信号で送られるペイロードは、より少ない再送を経験し、その結果、より低い伝送電力レベルで伝送されるペイロードよりも、平均で、より短い待ち時間を経験する。ペイロードを伝送する個々の電力レベルを選択することは、希望フレーム誤り率を達成する必要再送数に影響を与え、それによって、パケットの待ち時間とシステム容量との折り合いを制御する機構を与える。逆方向リンク（またはアップリンク）伝送を使用する分散形システムにおいて、基地局における中央スケジューリングエンティティには、移動局から伝送される将来の逆方向リンクパケットの待ち時間要件が分からないことが多い。使用可能な逆方向リンク資源および移動局の全体的な逆方向リンク伝送要件とに基づいて、基地局は、許可された伝送電力レベルを割り当てる。許可された制限にしたがって、移動局は、より短い待ち時間でより小さいペイロードを伝送するか、より長い待ち時間でより大きいペイロードを伝送するかを選択する。したがって、移動局は、移動局と基地局との間で設定された、パケットの好ましいＱｏＳレベルか、またはサービスのＱｏＳレベルかに基づいて、ペイロードサイズと逆方向リンク伝送電力レベルとの許容可能な組み合せを自律的に選択する。例示的な実施形態では、逆方向リンク伝送電力レベルは、トラヒック対パイロット電力比（traffic to pilot power ratio, TPR）に関して特徴付けられ、定められ、管理され、電力制御機構は、十分なチャネル推定のために、受信機においてパイロット信号の電力を希望レベルに維持する。したがって、ＴＰＲは、トラヒックチャネルの実際の伝送電力レベルを判断する換算係数（scale factor）を与える。当業者には、種々の他の技術が、幾つかの環境において使用され、伝送電力レベルを定め、特徴付け得ることが分かるであろう。さらに加えて、幾つかの環境では、３つ以上のサービスレベルが与えられ得る。
【００１３】
例示的な実施形態では、移動局から、関係付けられた制御チャネルを介して、基地局へ伝送されるＱｏＳ表示は、伝送されるパケットの選択されたＱｏＳレベルを示す。ＱｏＳ表示に基づいて、基地局は、移動局によって使用され、受信性能を向上することになるＴＰＲを判断する。
【００１４】
本明細書に記載されている１つ以上の例示的な実施形態は、ディジタル無線データ通信システムに関連して記述されている。本発明の異なる実施形態は、この関連の中で使用することが効果的である一方で、異なる環境または構成にも取り入れられ得る。概して、記載されているシステムは、ソフトウエア制御のプロセッサ、集積回路、またはディスクリートな論理を使用して形成され得る。出願全体で参照され得るデータ、命令、コマンド、情報、信号、シンボル、およびチップは、電圧、電流、電磁波、磁界または磁性粒子、光学場または光学粒子、あるいはこの組み合せによって都合よく表される。さらに加えて、各ブロック図に示されているブロックは、ハードウエアを表すか、あるいは方法のステップまたは機能を表し得る。
【００１５】
より具体的には、本発明の種々の実施形態は、電気通信工業会(Telecommunication Industry Association, TIA)および他の標準制定機構によって公表された種々の標準に開示され、記載されている符号分割多元接続（Code Division Multiple Access, CDMA）技術にしたがって動作する無線通信システムに取り入れられ得る。このような標準は、ＴＩＡ／ＥＩＡ−９５、ＴＩＡ／ＥＩＡ−ＩＳ−２０００標準、ＩＭＴ−２０００標準、ＵＭＴＳおよびＷＣＤＭＡ標準を含み、この全ては本明細書において参照によって取り入れられる。データ通信のシステムは、本明細書において参照によって取り入れられる“TIA/EIA/IS-856 cdma2000 High Rate Packet Data Air Interface Specification”にも詳しく記載されている。標準のコピーは、Ｗｏｒｌｄ  Ｗｉｄｅ  Ｗｅｂにアクセスするか、ＴＩＡのＳｔａｎｄａｒｄｓ  ａｎｄ  Ｔｅｃｈｎｏｌｏｇｙ  Ｄｅｐａｒａｔｍｅｎｔ(2500 Wilson Boulevard, Arlington, VA 22201, United States of America)に手紙を書くことにより入手され得る。ＵＭＴＳ標準として一般に識別され、本明細書において参照によって取り入れられている標準は、３ＧＰＰ Ｓｕｐｐｏｒｔ Ｏｆｆｉｃｅ(650 Route des Lucioles-Sophia Antipolis, Valbonne-France)に連絡をとることによって入手され得る。
【００１６】
さらに加えて、本発明の１つ以上の実施形態は、直交周波数分割多元接続（orthogonal frequency division multiple access, OFDMA）システムにも適用可能である。逆方向リンク上でのＯＦＤＭＡシステムの性能は、隣り合うセル内の移動局から受ける干渉によって制限され、基地局または中央エンティティは、移動局が、要求されるよりも高い電力レベルで伝送しないことを保証しなければならない。基地局は、副搬送波とも呼ばれる周波数トーンと、逆方向リンク上で特定のＴＰＲで伝送される標準ペイロードフォーマットとを割り当てる。ＯＦＤＭＡに関連して、ＴＰＲは、データトーンの電力とパイロットトーンの電力との比を指す。例示的な実施形態では、移動局は、割り当てられたＴＰＲに対応する標準ペイロードフォーマットを伝送するか、あるいは割り当てられた副搬送波上で、より低い符号率および／またはより低い変調オーダであるが、特定のＴＰＲで増大ペイロードフォーマットを伝送することを選択し得る。標準ペイロードフォーマットに対応する増大ペイロードフォーマットは、基地局および移動局の両者によって、一対一の対応で予め判断される。制御チャネルが逆方向リンク上のパケット伝送と関係付けられているときは、移動局はＱｏＳ表示を伝送し得る。電気電子技術者協会（Institute of Electrical and Electronics Engineering, IEEE）によって公表された８０２．１６のような、十分にスケジュールされたＯＦＤＭＡシステムの場合は、移動局は、逆方向リンク上でトラヒック制御チャネルを割り当てられない。このような場合には、基地局は、特定のＴＰＲで伝送される標準および増大のペイロードフォーマットの両者を復号することを試みることによって、ブラインド検索を行い得る。巡回冗長検査（cyclic redundancy check, CRC）の存在は、基地局受信機が、復号されたペイロードが正しいかどうかを判断することを可能にする。
【００１７】
図１は、本発明の例示的な実施形態にしたがう通信システム100のブロック図である。通信システム100は、何れかの無線通信システム標準にしたがって動作することができ、例示的な実施形態では、音声、データ、またはこの両者の通信に用いられ得る。例示的な通信システム100は、基地局102、104を含み、基地局102、104は、データおよび制御情報を、通信リンク106ないし114を介して多数の移動局118ないし122と、および公衆交換電話およびデータネットワークを含むワイヤーラインネットワーク126と交換する。さらに詳しく別途記載されるように、移動局118ないし122と、基地局102、104とは、通信システム100内の動作を容易にする任意の数の構成要素を含み得る。
【００１８】
幾つかの状況では、基地局102は、他の基地局104と通信し得る。基地局102、104および種々の制御ノード（図示されていない）は、通信システム100の種々の動作態様を、ワイヤーラインネットワーク126と基地局102、104との間の迂回中継124に関係して制御する。迂回中継124は、ワイヤーラインネットワーク126と基地局102、104との間におけるデータおよび他の情報の交換を容易にする装置およびインフラストラクチャを含み、例示的な実施形態では、少なくとも基地局制御装置（base station controller, BSC）128を含む。
【００１９】
各基地局102、104は、特定の基地局の受信可能領域内の移動局118ないし122と、順方向リンク信号106、108と逆方向リンク信号110ないし114とを介して、通信する。移動局118、120に宛てられた順方向リンク信号は、まとめられ、順方向リンク信号106を形成し得る。図1に示されている例示的な状況では、１つの基地局102は、１つの順方向リンク信号106を使用して、移動局118ないし122と通信し、他の基地局104は、別の順方向リンク信号108を使用して、移動局122と通信する。順方向リンクは、制御チャネルのような、多数の異なる順方向リンクチャネルを保持し得る。制御チャネルは、制御情報を受信する移動局118ないし122間で共有され得る。移動局118ないし122は、移動局118ないし122から基地局102、104へ伝送される対応する逆方向リンク信号110、112、114を使用して、基地局102、104と通信する。１つの基地局104に宛てられた逆方向リンク信号114は、他の基地局102において受信され、復号され得る。移動局118ないし122は１つの場所から別の場所へ移動し、チャネル状態が変化し得るので、移動局118ないし122は、既知の技術にしたがって通信に使用され得る基地局のアクティブな組を維持する。
【００２０】
移動局118は、本明細書に記載されているように、移動局118ないし122への機能を実行するハードウエア、ソフトウエア、およびファームウエアの組み合せを含むことができ、例示的な実施形態では、トランシーバ136、制御装置138、およびメモリ140を含む。図１に記載されている移動局のブロックの機能および動作は、任意の数のデバイス、回路、またはハードウエアにおいて実施され得る。２つ以上の機能ブロックが、単一のデバイスにおいて一体化されてもよく、単一のデバイスまたはブロックにおいて実行されるように記載されている機能が、幾つかのデバイス上で実施されてもよい。例えば、幾つかの受信または送信プロセスは、制御装置138によって実行され得る。
【００２１】
移動局118は、特定の通信システム100のプロトコルにしたがって基地局102、104と通信するように構成された無線トランシーバ136を含む。トランシーバ136は、例示的な実施形態において送信機および受信機を含む。無線周波数信号は、１本以上のアンテナ142を介して交換される。無線トランシーバ136は、逆方向リンク信号を変調し、増幅し、逆方向リンクを介して伝送し、基地局102によって順方向リンクを介して伝送された順方向リンク信号106を受信し、復調する。
【００２２】
制御装置138は、本明細書に記載されている移動局118の制御および計算機能を実行し、さらに加えて、移動局118の全体的な機能を容易にするのに適したプロセッサ、マイクロプロセッサ、コンピュータ、マイクロコンピュータ、またはプロセッサの組み合せである。制御装置138上で実行されるソフトウエアコードは、例示的な実施形態の信号を処理し、逆方向リンク管理機能を実行する方法のステップを実行する。
【００２３】
メモリ140は、既知の技術にしたがって値、パラメータ、ソフトウエアコード、および他の情報を記憶するための適切なメモリである。メモリ140は、例えば、集積回路（integrated circuit, IC）内で実施され得る。
【００２４】
基地局102は、基地局102、104への機能を実行するハードウエア、ソフトウエア、およびファームウエアの組み合せを含み得る。図１に記載されているブロックの機能および動作は、任意の数のデバイス、回路、またはソフトウエアで実施され得る。２つ以上の機能ブロックが、単一のデバイスにおいて一体化されてもよく、単一のデバイスまたはブロックにおいて実行されるように記載されている機能が、幾つかのデバイス上で実施されてもよい。例えば、幾つかの受信プロセスは、制御装置132によって実行され得る。
【００２５】
基地局は、特定の通信システム100のプロトコルにしたがって、移動局118ないし122と通信するように構成された無線トランシーバ130を含む。トランシーバ130は、受信機および送信機を含む。無線周波数信号は、アンテナ144を介して交換され、これは、幾つかの環境内のセクタを含み得る。無線トランシーバ130は、順方向リンク信号を変調し、増幅し、順方向リンクを介して伝送し、移動局118ないし122によって逆方向リンクを介して伝送された逆方向リンク信号を受信し、復調する。
【００２６】
制御装置132は、本明細書に記載されている基地局102の制御および計算機能を実行し、さらに加えて、基地局102の全体的な機能を容易にするのに適したプロセッサ、マイクロプロセッサ、コンピュータ、マイクロコンピュータ、またはプロセッサの組み合せである。制御装置132上で実行されるソフトウエアコードは、例示的な実施形態の信号を処理し、逆方向リンク管理機能を実行する方法のステップを実行する。
【００２７】
メモリ134は、既知の技術にしたがって値、パラメータ、ソフトウエアコード、および他の情報を記憶するための適切なメモリである。メモリ134は、例えば、集積回路（ＩＣ）内で実施され得る。
【００２８】
基地局102、104は、制御コマンドを順方向リンク信号106、108を介して移動局118ないし122へ伝送する。制御コマンドは、通信システム100において使用されている特定の通信標準にしたがって、任意の数のパラメータ、値、ビット、または他の情報を含み得る。例示的な実施形態では、制御コマンドは、許可された逆方向リンク電力レベル（許可されたＴＰＲ）を判断するのに十分な情報を移動局118に与える逆方向リンク制御パラメータを含む。逆方向リンク制御パラメータの例は、レート制御コマンドおよびペイロード割り当てメッセージを含む。許可された逆方向リンク電力レベル（許可されたＴＰＲ）は、基地局102によって許される最大逆方向リンク電力であり、基地局102に、逆方向リンク伝送が他の移動局120、122からの他の逆方向リンク伝送を干渉するのを制御する機構を与える。許可されたトラヒック対パイロット電力比（許可されたＴＰＲ）のような、許可された逆方向リンク電力レベルに加えて、基地局102は、逆方向リンク伝送パラメータのような、他の逆方向リンク伝送情報を伝達する。逆方向リンク伝送パラメータは、移動局118が逆方向リンク伝送基準を維持することを可能にする情報を含む。逆方向リンク伝送パラメータを伝達するのに、幾つかの技術の何れかが使用され得る。例えば、逆方向リンク伝送パラメータの表示は、移動局118へ伝送され得る。このような機構を支援することができる通信システムの例は、十分にスケジュールされたＣＤＭＡおよびＯＦＤＭＡ通信システムを含む。例えば、レート制御されたＣＤＭＡシステムのような、幾つかの環境では、逆方向リンク伝送パラメータの変化の表示のような、制限された情報のみが伝送され得る。さらに加えて、移動局118において受信される逆方向リンク伝送表示は、メモリ140に記憶されている1組のパラメータを識別し得る。
【００２９】
逆方向リンク伝送基準は、幾つかの技術の何れかを使用して維持され得るが、例示的な実施形態では、移動局118は、トラヒック対パイロット電力比（ＴＰＲ）を逆方向リンクのペイロードに関係付けるメモリ140内の値を維持する。図２ないし４を参照して、さらに詳しく別途記載されるように、逆方向リンク伝送基準は、ＴＰＲ値のような電力レベルを、少なくとも２つのサービス品質（ＱｏＳ）レベルに対して関係付ける。例示的な実施形態では、複数の標準ＴＰＲ値は、標準伝送のペイロードサイズに対応し、複数の増大ＴＰＲ値は、増大伝送のペイロードサイズに対応する。増大ＴＰＲ値は、通常、対応するペイロードサイズに対する標準ＴＰＲ値よりも、より高い。逆方向リンク信号のペイロードサイズと許可されたＴＰＲとに基づいて、移動局118は、逆方向リンク信号を伝送するために、標準ＴＰＲまたは増大ＴＰＲの何れかを選択する。ＴＰＲを選択するのに、種々の判断基準が使用され得るが、移動局118は、最も両立できる待ち時間とペイロードサイズとの組み合せにしたがって、ＴＰＲを選択する。例えば、特定のペイロードが、比較的に大きいＦＴＰファイルであり、より長い待ち時間を許すことができるときは、移動局118は標準ＴＰＲを選択し得る。他方で、ペイロードが短いパケットであり、短い待ち時間が好ましいときは、移動局118は増大ＴＰＲを選択し得る。ビデオのアプリケーションのような、実時間のアプリケーションでは、短い待ち時間が好ましいことが多い。
【００３０】
逆方向リンク伝送電力レベルを選択するとき、移動局118は、許可された逆方向リンク伝送電力レベル（authorized reverse link transmission power level, AUTH PWR）の要件を満たした最高標準電力レベルと最高増大電力レベルとを識別し、現在のペイロードサイズと待ち時間の基本設定とを考慮して、対応するペイロードサイズを評価する。例示的な実施形態では、最高標準ＴＰＲおよび最高増大ＴＰＲは、ペイロードと関係付けられたＴＰＲに対応し、移動局118によって、ペイロードを伝送するときに、要求されるサービ
ス品質に対して使用される。したがって、最高標準電力レベルは、許可された電力レベル以下のペイロードフォーマットに対応する標準電力レベル（標準ＴＰＲ）として識別される。最高増大電力レベルは、標準電力レベル（標準ＴＰＲ）とマージン係数（ｑ）との和以下であるペイロードフォーマットに対応する増大電力レベル（増大ＴＰＲ）として識別される。マージン係数は、最高標準ＴＰＲより高いマージンを与え、その中で、移動局118は逆方向リンク信号を増大モードで伝送するのを許される。したがって、マージンは、制限された数のペイロードフォーマットが通信システム100によって定められるとき、量子化の影響を低減する機構を与える。標準ＴＰＲを判断した後で、増大ＴＰＲを選択すると、システム100は、許可されたＴＰＲを更新する基準点を維持することができる。したがって、レート判断プロセスを使用する通信システムでは、標準ペイロードを選択するアルゴリズムが保持され、移動局118は、レート判断プロセスが標準ペイロードを識別した後で、増大電力レベルでペイロードを伝送することができる。幾つかの環境では、最高増大電力レベルは、最大許可電力レベルよりも小さいペイロードに対応する増大電力レベルとして直接的に識別される。
【００３１】
図２は、例示的な逆方向リンク伝送基準200を表すテーブルであり、逆方向リンク伝送電力レベルおよびペイロードサイズは、英数字の変数によって表されている。逆方向リンク伝送基準200は、少なくとも２つのサービス品質（ＱｏＳ）クラスにおける許容伝送電力レベル204、208と複数のペイロードサイズ202、206との間の関係性を定めている。別途記載されるように、逆方向リンク伝送基準200は、例示的な実施形態における幾つかの逆方向リンク伝送電力レベル204、208について、標準サービスおよび増大サービスのための、トラヒック対パイロット比（ＴＰＲ）に関する伝送電力レベル204、208を定めている。“ペイロード”は、幾つかの既知のフォーマットにしたがって符号化され、変調され、パケットデータチャネル（packet data channel, PDCH）のようなトラヒックチャネル上で伝送される、ある特定数の情報ビットを指す。ペイロードは、ペイロードのビット数、符号率、変調オーダ、またはＣＲＣを示すパラメータの組み合せによって定められ得る。しかしながら、伝送電力レベル204、208およびペイロードサイズ202、206の数値は、特定の通信システム100の実施に依存して、幾つかのフォーマット、比率、および単位の何れかで定められ得る。図２のテーブルは、１組の標準ペイロードサイズ202および１組の増大ペイロードサイズ206を含む。例示的な実施形態では、１組のペイロードサイズは、１組の標準電力レベル204および１組の増大電力レベル208と関係付けられ、各ペイロードサイズは、標準電力レベルおよび増大電力レベルと関係付けられている。例示的な実施形態では、各標準電力レベル値は、同じペイロードサイズにおいて、対応する増大電力レベル値よりも低い。例示的な逆方向リンク伝送基準200は、テーブルとして示されているが、基準200は、幾つかのやり方の何れかで実施および実行され、種々の値間の関係性は、必ずしもメモリ内に配列として維持されない。
【００３２】
既に記載したように、移動局118は、基地局102によって伝送されるか、変更されるか、更新されるか、さもなければ、設定され得る許可された逆方向リンク伝送電力レベル（ＡＵＴＨ ＰＷＲ）を維持する。移動局118は、許可された逆方向リンク伝送電力レベル以下であり、かつペイロードサイズ202、206および逆方向リンク伝送電力204、208について逆方向リンク伝送基準200によって定められた要件を満たす電力レベルで、逆方向リンク信号を伝送することを許可される。直交逆方向リンク伝送を使用するシステムでは、逆方向リンク信号は、割り当てられた符号空間を、ＯＦＤＭＡシステムにおいて移動局に割り当てられた副搬送波と関係付けられたデータレートとして使用する。
【００３３】
当業者は、本明細書において教示に適用される既知の技術に基づいて、逆方向リンク伝送情報を移動局118に伝達する種々の適切な技術が分かるであろう。既に記載したように、基地局102は、逆方向リンク伝送基準200を維持するのに適した逆方向リンク伝送情報を含む制御情報を、順方向リンクを介して伝送する。表示、調整表示、および伝送される値、並びに移動局118に記憶されている値の組み合せが、逆方向リンク伝送基準200を生成するのに使用され得る。例えば、逆方向リンク伝送パラメータを表す値は、基準200が変更または生成されるたびに、基地局102から移動局118へ直接に伝送され得る。幾つかの環境では、変更された値のみが伝送され得る。他の状況では、基地局102から伝送される情報は、増大電力値を、同じペイロードサイズの標準電力値に関係付ける差分値のみを含み得る。例示的な実施形態では、１組のペイロードサイズ202、206は、静的であり、基地局によって伝送される情報によって調整されない。さらに加えて、逆方向リンク伝送基準200は、基地局から受信される逆方向リンク伝送パラメータの適用前に、デフォルト値によって定められる。
【００３４】
逆方向リンク伝送基準200を設定する１つの例示的な技術は、既知の技術にしたがって１組のペイロードサイズおよび標準電力レベルを設定することと、基地局102から受信した逆方向リンクパラメータから１組の増大伝送電力レベル208を得ることとを含む。図３は、基地局102から受信される増大値Ｄを使用して設定される例示的な逆方向リンク伝送基準200を表すテーブルを示している。増大値Ｄは、対応するペイロードサイズ302における、標準伝送電力レベル204と増大伝送電力レベル208との間の差を示す。例えば、図３のテーブルの３番目の行に変数に注目すると、電力レベルＳ３は、ペイロードサイズＰ３に対応している。ペイロードサイズＰ３の増大電力レベル208は、Ｓ３とＤとの和（Ｓ３＋Ｄ）に等しい。基準200を設定するのに必要とされる逆方向リンクパラメータに加えて、基地局102は、移動局118が逆方向リンク信号の適切な伝送電力レベルを判断することを可能にする他の逆方向リンク伝送情報を伝送する。追加の逆方向リンク情報の例は、電力マージン（ｑ）を含み、電力マージン（ｑ）は、最高標準電力レベルを超え、かつ移動局118が増大モードで伝送することができる許可された電力レベルより低いマージンを示す。いくつかの環境では、ｑおよびＤの値は、種々のペイロードサイズ間で変化するが、例示的な実施形態では、ｑおよびＤは定数である。
【００３５】
増大電力レベル208を生成する他の方法は、ペイロードサイズと電力レベル204、208との間に適切な関係性を与える他のパラメータを含み得る。幾つかの状況では、例えば、逆方向リンクパラメータは、ペイロード低減値Ｒを含み、Ｒは、特定の電力レベルに対応する標準ペイロードサイズから増大ペイロードサイズへのペイロードサイズの低減を示す。
【００３６】
幾つかの技術の何れかが、逆方向リンク伝送基準200を設定し、維持するのに使用され得る。２つの例示的な技術が、直ぐ次に与えられる。第１の例示的な技術では、移動局118は、基地局102によって許可された逆方向リンク伝送電力レベルを表す変数ＡＵＴＨ ＰＷＲを維持する。基地局102は、承認メッセージとレート制御伝送との組み合せによって、ＡＵＴＨ ＰＷＲを設定し、変更し得る。ＡＵＴＨ ＰＷＲに基づいて、移動局118は、基準200を使用して、標準モードに対して許可されたペイロードフォーマットを判断する。ペイロードフォーマットを判断する適切な方法は、ＡＵＴＨ ＰＷＲ以下の標準電力レベルに対応する最大ペイロードを判断することを含む。例えば、ＡＵＴＨ ＰＷＲがＳ３よりも大きいが、Ｓ４よりも小さい（Ｓ３＜ＡＵＴＨ ＰＷＲ＜Ｓ４）とき、移動局118は、Ｐ３を、最大許容標準ペイロードサイズとして識別する。
【００３７】
増大ペイロードサイズを選択する２つの例が、直ぐ次に記載される。第１の例では、移動局118は、ペイロードサイズＰ３に対応する標準電力レベルＳ３、増大パラメータＤ、およびマージンｑに基づいて、増大電力レベルと、対応するペイロードサイズとを計算する。増大ペイロードフォーマットを判断する適切な方法は、Ｓ３＋ｑ以下の増大電力レベルに対応する最大ペイロードを判断することを含む。例えば、Ｓ３＋ｑが、増大電力レベルＳ２＋Ｄよりも大きいが、Ｓ３＋Ｄよりも小さい（Ｓ２＋Ｄ＜Ｓ３＋ｑ＜Ｓ３＋Ｄ）と
き、移動局は、Ｐ２を、最大許容増大ペイロードサイズとして識別する。
【００３８】
第２の技術では、最高増大ペイロードフォーマットは、ＡＵＴＨ ＰＷＲから直接に判断される。Ｓ２＋Ｄ＜ＡＵＴＨ ＰＷＲ＜Ｓ３＋Ｄであるとき、Ｐ２が、最大許容増大ペイロードサイズとして選択される。移動局118は、逆方向リンク信号の待ち時間要件およびペイロードに基づいて、増大電力レベルか、標準電力レベルかを選択する。第１の技術は、移動局が増大モードで伝送することを選択するが、電力およびデータの制約のような、他の制約によって、最大許容増大ペイロードサイズＰ２よりも小さいペイロードサイズＰ１を伝送するときのシナリオの第２の実施形態にとって好ましい。第１の技術では、選択された標準ペイロードフォーマットと増大ペイロードフォーマットとの間に、１つ以上のマッピングがある。移動局118が、増大の場合に、Ｐ２ではなく、Ｐ１で伝送するのを選択するとき、基地局102は、対応する標準ペイロードフォーマットを求めて、標準ペイロード電力レベルに基づいてＡＵＴＨ ＰＷＲを更新することができる。第２の技術では、ＡＵＴＨ ＰＷＲの異なる値に対して、同じ標準ペイロードフォーマットＰ３が選択され、一方で、異なる増大ペイロードフォーマット（例えば、Ｐ２およびＰ３）が選択され得る。移動局118によって使用される変数ＡＵＴＨ ＰＷＲは、基地局102に分からないことがある。このような状況において、増大モードでＰ２またはＰ３の何れかを伝送すると、基地局102において、移動局118のＡＵＴＨ ＰＷＲを判断するときに、曖昧さがより大きくなるであろう。
【００３９】
第２の技術では、移動局118は、伝送基準200を設定し、ＡＵＴＨ ＰＷＲ以下の最大標準電力レベルに対応する最大ペイロードサイズと、ＡＵＴＨ ＰＷＲ以下の最大増大電力レベルに対応する最大ペイロードサイズとを判断する。逆方向リンク信号の待ち時間要件およびペイロードに基づいて、移動局118は、最大増大電力レベルか、最大標準電力レベルかを選択する。第２の技術では、マージン係数ｑは、最大増大電力レベルを判断するために、ＡＵＴＨ ＰＷＲに加えられ得る（すなわち、最大増大電力レベル＜ＡＵＴＨ ＰＷＲ＋ｑ）。
【００４０】
図４は、ペイロードサイズ302が情報ビットで表され、伝送電力レベル204、208がトラヒック対パイロット比（ＴＰＲ）で表されるときの例示的な値を含む基準200を表すテーブルを示している。図４を参照して、逆方向リンク伝送基準を使用して、逆方向リンク信号の適切な電力レベルとペイロードサイズとの組み合せを判断する２つの例示的な技術を示す２つの例が記載される。
【００４１】
第１の技術の例では、ＡＵＴＨ ＰＷＲは１２．２デシベルに等しく、Ｄは２デシベルに等しく、ｑは０．５デシベルに等しい。したがって、最大標準ＴＰＲに対応するペイロードは、１５６０ビットである。その理由は、１０．１デシベルの対応する標準ＴＰＲが、１２．２デシベルの許可されたＴＰＲよりも小さいが、１２．６デシベルの次の最も高い標準ＴＰＲよりも大きいからである。最高標準ＴＰＲに０．５デシベルを加えると、１０．６デシベルになる。したがって、最大増大ＴＰＲは、７．３デシベルと２．０デシベルとの和である９．３デシベルである。移動局118は、増大モードで９．３デシベルで７９２ビットのペイロードを伝送するか、１０．１デシベルで１５６０ビットのペイロードを伝送するかを選択する。
【００４２】
第２の技術の例では、ＡＵＴＨ ＰＷＲは１２．２デシベルであり、Ｄは２デシベルであり、ｑは使用されない。移動局118が、パラメータを使用して、逆方向リンク伝送基準200を生成するか、またはさもなければ設定した後で、最大標準ＴＰＲおよび最大増大ＴＰＲに対応するペイロードが判断される。最大標準ＴＰＲは、（１５６０ビットに対応する）１０．１デシベル＜１２．２デシベル＜（３０９６ビットに対応する）１２．６デシベルであるので、１５６０ビットの関係付けられたペイロードサイズをもつ１０．１デシベルである。最大増大ＴＰＲは、（１５６０ビットに対応する）１２．１デシベル＜１２．２デシベル＜（３０９６ビットに対応する）１４．６デシベルであるので、１０．１デシベルである。したがって、増大モードのペイロードサイズは、１５６０ビットである。移動局118は、増大モードで１２．２デシベルで１５６０ビットのペイロードを伝送するか、１０．１デシベルで１５６０ビットのペイロードを伝送するかを選択する。
【００４３】
例示的な実施形態では、逆方向リンク資源を効率的に管理するために、基地局102は、レート制御アルゴリズムおよびシグナリングを使用する。レート制御は、承認メッセージ、レート制御表示（rate control indicator, RCI）、または２つの組み合せを伝送することによって達成され得る。レート制御の適切な技術の例は、後述で扱われており、２００４年５月２５日に出願された関連する特許出願（“METHOD AND APPARATUS FOR CONTROLLING REVERSE LINK DATA RATE OF A MOBILE STATION IN A COMMUNICATION SYSTEM WITH REVERSE LINK COMMON RATE CONTROL”）にさらに詳しく記載されている。許可されたＴＰＲを示す承認メッセージが、移動局118へ伝送され、ＲＣＩが、ＴＰＲを調整する情報を与える。ＲＣＩは、ＲＡＴＥ ＤＯＷＮ、ＲＡＴＥ ＨＯＬＤ、およびＲＡＴＥ ＵＰの表示を含む。例示的な実施形態におけるレート制御を容易にするために、ペイロードを伝送するのに使用されるサービスタイプを示すサービス表示（ＱｏＳ表示）が、移動局118から基地局102へ伝送される。ＣＤＭＡの改訂Ｄ標準（CDMA Revision D standard）にしたがって動作する通信システムにおいてＱｏＳ表示を伝送する適切な機構は、逆方向パケットデータ制御チャネル（Reverse Packet Data Control Channel, R-PDCCH）上で１ビット表示を伝送することを含む。知られているように、Ｒ−ＰＤＣＣＨは、逆方向パケットデータチャネル（Reverse Packet Data Channel, R-PDCH）上のパケットフォーマットに対応する情報を搬送する。１ビット表示は、伝送される逆方向リンク信号110が標準サービス（または、標準ＱｏＳ）で伝送されるか、または増大サービス（または、増大ＱｏＳ）で伝送されるかを示す。
【００４４】
図５は、本発明の例示的な実施形態にしたがって、移動局118において行われる逆方向リンク資源を管理する方法のフローチャートである。方法は、ハードウエア、ソフトウエア、およびファームウエアによって、単独で、または組み合せで行われ得る。図５を参照して記載される例示的な方法は、少なくとも制御装置138およびメモリ140を含む機能ブロックをもつ移動局118において行われる。既に記載したように、移動局118において識別される機能ブロックは、構成要素、プロセッサ、およびソフトウエアコードの組み合せを使用して実施され、単一デバイス上で実施されるか、または幾つかの構成要素またはデバイス上で分散され得る。
【００４５】
ステップ502では、移動局118において逆方向リンクの許可された電力レベル（ＡＵＴＨ ＰＷＲ）が設定される。例示的な実施形態では、基地局102は、承認およびレート制御メッセージの組み合せを伝送して、許可された逆方向リンク伝送電力レベル値（ＡＵＴＨ ＰＷＲ）を維持する。レート制御方法にしたがって、基地局102は、ＲＣＩを移動局118に伝送することによって、ＡＵＴＨ ＰＷＲを定期的に調整し得る。
【００４６】
ステップ504では、基地局102から逆方向リンク伝送情報が受信される。逆方向リンク伝送情報は、移動局118において逆方向リンク伝送基準200を設定するのに適した、情報、値、パラメータ、または他の表示を含む。例示的な実施形態では、逆方向リンク情報は、少なくとも、既知の技術にしたがって標準ＴＰＲ値を設定する情報と、増大ＴＰＲ値の判断を可能にする情報とを含む。適切な逆方向リンクパラメータの例は、増大値Ｄ、マージン係数ｑ、標準伝送におけるサブパケットの最大数、増大モード伝送における増大伝送サイズのサブパケットの最大数、および許可されたＴＰＲを含む。幾つかの環境では、増大伝送において必要とされるペイロードサイズの数の低減を示すペイロード低減係数Ｒのような、他のパラメータも伝送され得る。
【００４７】
ステップ506では、逆方向リンク伝送基準200が、逆方向リンク情報の少なくとも一部に基づいて設定される。例示的な実施形態では、標準ペイロードサイズは、メモリに記憶され、受信された逆方向リンク伝送情報に基づいて、標準電力レベル値および増大電力レベル値と関係付けられる。基準200を設定する適切な方法は、図３および４を参照して既に記載された２つの例示的な技術を含む。幾つかの状況では、他の方法および技術が使用され得る。
【００４８】
ステップ508では、移動局は、少なくとも、許可された逆方向リンク伝送電力レベルにしたがう最大標準伝送電力レベルと最大増大伝送電力レベルとを含む複数の電力レベルから、逆方向リンク伝送電力レベルを選択する。例示的な実施形態では、移動局118は、伝送されるパケットの待ち時間要件を判断し、標準モードおよび増大モードの電力レベル値と、関係付けられるペイロードサイズとを評価する。特定のパケットの要求ＱｏＳに基づいて、移動局118は、標準および増大モードにおけるペイロードと電力レベルとの組み合せを選択する。
【００４９】
図６は、本発明の例示的な実施形態にしたがって、基地局102において行われる逆方向リンク資源を管理する方法のフローチャートである。方法は、ハードウエア、ソフトウエア、およびファームウエアによって、単独で、または組み合せで行われ得る。図６を参照して記載される例示的な方法は、少なくとも、制御装置132、トランシーバ130、およびメモリ134を含む機能ブロックをもつ基地局102において行われる。既に記載したように、基地局102において識別される機能ブロックは、構成要素、プロセッサ、およびソフトウエアコードの組み合せを使用して実施され、単一のデバイス上で実施されるか、または幾つかの構成要素またはデバイス上で分散され得る。
【００５０】
ステップ602では、基地局は、許可された逆方向リンク伝送電力レベルを移動局118へ伝達する。基地局は、幾つかの承認メッセージおよびレート制御表示（ＲＣＩ）を伝送して、移動局118において維持されるＡＵＴＨ ＰＷＲの適切な値を維持し得る。
【００５１】
ステップ604では、基地局は、移動局118における逆方向リンク伝送基準200を設定する逆方向リンク伝送情報を伝送する。逆方向リンク伝送基準200は、移動局118が、基地局102から別の許可を要求することなく、逆方向リンク伝送電力レベルを選択することを可能にする。既に記載したように、移動局は、増大電力レベルか、標準電力レベルかを選択する。
【００５２】
したがって、例示的な実施形態では、移動局118は、標準電力レベルでペイロードを伝送するか、増大電力レベルでより小さいペイロードを伝送するかを選択することができる。基地局102は、逆方向リンク情報を移動局118へ伝送することによって、逆方向リンク伝送基準を設定する。基準200、許可された電力の逆方向リンク電力レベル、および逆方向リンクパケットのＱｏＳ要件を使用して、移動局118は、基地局102から許可を要求することなく、逆方向リンクパケットの適切な電力レベルとペイロードサイズとの組み合せを選択する。したがって、逆方向リンク電力レベルおよびペイロードは、逆方向リンク資源を効率的に割り振るように管理される。
【００５３】
当技術において普通の技能をもつ者には、本発明の他の実施形態および変更を、これらの教示を考慮して、容易に思いつくことは明らかである。上述は、例示的であって、制限的ではない。本発明は、特許請求項のみによって制限され、特許請求項は、本明細書および添付の図面と共に検討されるとき、全てのこのような実施形態および変更を含む。したがって、本発明の範囲は、上述を基準として判断されず、その代わりに、特許請求項と、それらの同等のものの全範囲とを基準として判断されるべきである。
【図１】
2011072005.tif 000003
【図２】
2011072005.tif 000004
【図３】
2011072005.tif 000005
【図４】
2011072005.tif 000006
【図５】
2011072005.tif 000007
【図６】
2011072005.tif 000008
【手続補正書】
【提出日】平成22年11月29日(2010.11.29)
【手続補正１】
【補正対象書類名】特許請求の範囲
【補正対象項目名】全文
【補正方法】変更
【補正の内容】
【特許請求の範囲】
【請求項１】
移動局が、少なくとも、標準ペイロードサイズと関係付けられた標準逆方向リンク伝送電力レベルと、増大ペイロードサイズと関係付けられた増大逆方向リンク伝送電力レベルとを含む複数の電力レベルから、逆方向リンク伝送電力レベルを選択することを可能にする逆方向リンク伝送基準を設定する逆方向リンク伝送情報を伝送し、標準ペイロードサイズが増大ペイロードサイズよりも大きいことを含む方法。
【請求項２】
伝送することが、
標準逆方向リンク伝送電力レベルと増大逆方向リンク伝送電力レベルとの間の差を示す増大値を伝送することを含む請求項１記載の方法。
【請求項３】
許可された伝送電力レベルを移動局に伝送することをさらに含む請求項２記載の方法。
【請求項４】
逆方向リンク伝送情報が、
標準逆方向リンク伝送電力レベルを含む請求項３記載の方法。
【請求項５】
逆方向リンク伝送情報が、
増大逆方向リンク伝送電力レベルを含む請求項３記載の方法。
【請求項６】
逆方向リンク伝送情報が、
許可された伝送電力レベルと選択された伝送電力レベルとの間の最大の差を示すマージン値を含む請求項３記載の方法。
【請求項７】
逆方向リンク伝送情報が、
増大モードで伝送される最大数のサブパケットを含む請求項３記載の方法。
【請求項８】
移動局が、少なくとも、標準ペイロードサイズと関係付けられた標準逆方向リンク伝送電力レベルと、増大ペイロードサイズと関係付けられた増大逆方向リンク伝送電力レベルとを含む複数の電力レベルから、逆方向リンク伝送電力レベルを選択することを可能にする逆方向リンク伝送基準を設定する逆方向リンク伝送情報を伝送するように構成されていて、標準ペイロードサイズが増大ペイロードサイズよりも大きい送信機を含む基地局。
【請求項９】
送信機が、標準逆方向リンク伝送電力レベルと増大逆方向リンク伝送電力レベルとの間の差を示す増大値を伝送するようにも構成されている請求項８記載の基地局。
【請求項１０】
送信機が、許可された伝送電力レベルを移動局に伝送するようにも構成されている請求項８記載の基地局。
【請求項１１】
逆方向リンク伝送情報が、
標準逆方向リンク伝送電力レベルを含む請求項８記載の基地局。
【請求項１２】
逆方向リンク伝送情報が、
増大逆方向リンク伝送電力レベルを含む請求項８記載の基地局。
【請求項１３】
逆方向リンク伝送情報が、
許可された伝送電力レベルと選択された伝送電力レベルとの間の最大の差を示すマージン値を含む請求項８記載の基地局。
【請求項１４】
逆方向リンク伝送情報が、
増大モードで伝送される最大数のサブパケットを含む請求項８記載の基地局。
【請求項１５】
通信システムにおいて逆方向リンク資源を管理する方法であって、
移動局から、少なくとも、標準ペイロードサイズと関係付けられた標準逆方向リンク伝送電力レベルと、増大ペイロードサイズと関係付けられた増大逆方向リンク伝送電力レベルとを含む複数の電力レベルからの、逆方向リンク伝送電力レベルの選択を示すＱｏＳ表示ビットを伝送し、標準ペイロードサイズが増大ペイロードサイズよりも大きいことを含む方法。
【請求項１６】
伝送することが、複数の増大モードを識別する複数のＱｏＳ表示ビットからＱｏＳ表示ビットを伝送することを含む請求項１５記載の方法。
【請求項１７】
伝送することが、ＱｏＳ表示ビットによって示された電力レベルにしたがってペイロードを伝送するのに使用されるトラヒックチャネルと関係付けられた制御チャネルにおいてＱｏＳ表示ビットを伝送することを含む請求項１５記載の方法。
【請求項１８】
通信システムにおいて逆方向リンク資源を管理する方法であって、
パイロット信号電力レベルに関係する受信信号電力レベルとペイロードサイズとに基づいて、移動局から逆方向リンク信号を伝送するのに使用されるサービスモードを判断することを含む方法。
【請求項１９】
サービスモードが、少なくとも標準モードと増大モードとから、移動局によって選択され、標準モードが、標準ペイロードサイズと関係付けられた標準逆方向リンク伝送電力レベルを定めており、増大モードが、増大ペイロードサイズと関係付けられた増大逆方向リンク伝送電力レベルを定めている請求項１８記載の方法。
【請求項２０】
標準ペイロードサイズが、増大ペイロードサイズよりも大きい請求項１９記載の方法。
【請求項２１】
逆方向リンク資源の使用を規制する再送方式を採用している通信システムにおいて逆方向リンク資源を管理する移動局において行われる方法であって、
逆方向リンクパケットのＱｏＳに基づいて、逆方向リンクパケットを伝送するための逆方向リンク電力レベルとペイロードサイズとの組み合せを自律的に選択し、通信システムの性能と逆方向リンクパケットの受信待ち時間との折り合いをつけることを含む方法。
【請求項２２】
再送方式が、ハイブリッド自動反復応答（HARQ）プロトコルである請求項２１記載の方法。
【外国語明細書】
2011072005000001.pdf